(57)【要約】【課題】ブロック相互間の連結状態を維持しつつ各ブロックを屈曲して積層することを可能にする。【解決手段】第１，第２横軸と，これらを対向して画定するセンターホールと，隣接した第１，第２縦軸の上面に第１及び第２ラグを突出し，前記両縦軸の下面幅方向に第１，第２ラグ溝を形成し，前記両横軸の両端を延設して前記両縦軸に連続する傾斜面を有するエッジを形成してハーフホールを画定し，これらブロックをそれぞれエッジを互いに当接して敷設する第１列ブロック築造ステップと，前記両横軸の中心に同様に，エッジが当接する各ブロックを第１列ブロックの上に順次，一列に積層する第ｎ列ブロック築造ステップと，この第ｎ列ブロックの上に一列に積層する第ｎ＋１列ブロック築造ステップとを含み，前記両ラグは前記両ラグ溝に沿って幅方向に位置変更が可能な構成から成る。【選択図】図８
2011220101.tif 000002
【特許請求の範囲】
【請求項１】
第１横軸及び第２横軸，そして第１縦軸及び第２縦軸が互いに対向する構造を維持するようにモルタルをブロッキングしてセンターホールを画定すると共に，前記センターホールに隣接した前記第１縦軸及び第２縦軸の上面の中央に第１ラグ及び第２ラグを突出し，前記第１縦軸及び第２縦軸の下面の中央に第１ラグ溝及び第２ラグ溝を形成し，前記第１横軸及び第２横軸の両端が外方に延びながら前記第１縦軸及び第２縦軸に傾斜して連続する傾斜面を有するエッジを形成してハーフホールを画定し，
前記センターホールに隣接した前記第１横軸及び第２横軸の上面の中央に第１ストッパー及び第２ストッパーが突出し，
前記第１横軸及び第２横軸の下面の中央に第１ストッパー溝及び第２ストッパー溝が形成されていることを特徴とする塀用ブロック。
【請求項２】
前記第１ラグ溝及び第２ラグ溝は前記第１縦軸及び第２縦軸の下面の中央に幅方向に形成されることを特徴とする請求項１記載の塀用ブロック。
【請求項３】
第１横軸及び第２横軸，そして，前記第１縦軸及び第２縦軸が互いに対向する構造を維持するようにモルタルをブロッキングしてセンターホールを画定すると共に，前記センターホールに隣接した前記第１縦軸及び第２縦軸の上面に第１ラグ及び第２ラグを突出し，前記第１縦軸及び第２縦軸の下面に幅方向に第１ラグ溝及び第２ラグ溝を形成し，前記第１横軸及び第２横軸の両端が外方に延びながら前記第１縦軸及び第２縦軸に傾斜して連続する傾斜面を有するエッジを形成してハーフホールを画定するブロックを前記それぞれのエッジが互いに対峙して地面の上に一列に敷設する第１列ブロック築造ステップと，
前記第１横軸及び第２横軸の中心に前記それぞれのエッジが互いに合うように前記第１列ブロックの上にブロックを一列に積層する第２列ブロック築造ステップと，
前記第１横軸及び第２横軸の中心に前記それぞれのエッジが互いに合うように前記第２列ブロックの上にブロックを一列に積層する第ｎ列ブロック築造ステップと，
前記第１横軸及び第２横軸の中心に前記それぞれのエッジが互いに合うように前記第ｎ列ブロックの上にブロックを一列に積層する第ｎ＋１列ブロック築造ステップと，を含み，
前記ブロックは地面の長手方向に一直線又は屈曲するように積まれ，
前記ブロックを地面の長手方向に屈曲するように敷設，積層する場合，前記第１ラグ及び第２ラグは前記第１ラグ溝及び第２ラグ溝に沿って幅方向に位置変更可能であることを特徴とする塀の築造方法。
【請求項４】
前記ブロックは，
塀の築造時，前記センターホールに隣接した前記第１横軸及び第２横軸の上面の中央に上位ブロックの前記傾斜面が当接するように第１ストッパー及び第２ストッパーが突出し，
積層時，前記第１横軸及び第２横軸の下面の中央に下位ブロックの第１ストッパー及び第２ストッパーが合致するように第１ストッパー溝及び第２ストッパー溝が形成されることを特徴とする請求項３記載の塀の築造方法。
【請求項５】
前記第１列ブロック，第２列ブロック・・・第ｎ列ブロック，及び第ｎ＋１列ブロックの築造によって前記センターホール及びハーフホールは相互組み合わせて垂直方向にスルーホールを画定し，
前記スルーホールに砕石を充填することを特徴とする請求項３記載の塀の築造方法。
【請求項６】
前記砕石の間に支持軸が挿入されることを特徴とする請求項５記載の塀の築造方法。
【請求項７】
前記支持軸に縦ビームが連結配置されて前記第ｎ＋１列ブロックの上に立てられ，前記縦ビームを水平方向に架橋するフェンスが組立てられることを特徴とする請求項６記載の塀の築造方法。
【請求項８】
前記支持軸に支持台が連結されて前記第ｎ＋１列ブロックの上に立てられ，前記支持台を互いに絡み合わせる鉄網を含むことを特徴とする請求項６記載の塀の築造方法。
【請求項９】
前記第ｎ＋１列ブロックのセンターホールに土砂を充填して，前記土砂の間に植物を植栽することを特徴とする請求項５又は６記載の塀の築造方法。
【請求項１０】
前記第ｎ＋１列ブロックのセンターホールに排出口が形成された突出部及び土砂が充填される収納空間を有する植木鉢型ブロックを搭載し，前記土砂に植物を植栽することを特徴とする請求項５又は６記載の塀の築造方法。
【請求項１１】
前記第ｎ＋１列ブロックの上にベンチを搭載することを特徴とする請求項５又は６記載の塀の築造方法。
【請求項１２】
前記第ｎ＋１列ブロックの上に土を積み，瓦を葺くことを特徴とする請求項５又は６記載の塀の築造方法。
【発明の詳細な説明】
【技術分野】
【０００１】
本発明は，塀用ブロック及びこれを用いた塀の築造方法に関し，より詳しくは，迅速で，かつ強固に，そして，環境の維持保全に資する，より安全・安心な環境に調和する親環境的に塀を築造できる塀用ブロック及びこれを用いた塀の築造方法に関する。
【背景技術】
【０００２】
一般に，塀は建物の周りや敷地の境界線，定まった区域などに積みめぐらした連続した壁のような建築付属工作物であって，その築造する材料によって，土塀，石塀，煉瓦塀，ブロック塀，コンクリート塀等に分けられる。
【０００３】
本願出願人は，より迅速・簡潔及び堅固に築造でき，かつ親環境的な塀の築造方法を提案しようとするものである。
【発明の概要】
【発明が解決しようとする課題】
【０００４】
本発明の目的は，ブロック相互間を堅固に連結する係合状態を維持しながら各ブロックを屈曲して積層することを可能にして，施工地の地表の様子や地面の状態によって，より能動的に迅速・堅固に塀を築造できるようにした塀用ブロック及びこれを用いた塀の築造方法を提供することにある。
【０００５】
本発明の他の目的は，一のブロックと隣り合う他のブロックのエッジとが隣接するとき，一のブロックのハーフホールと他のブロックのハーフホールとが対峙してセンターホールと同軸状に，垂直方向へのスルーホールを形成するようにした塀用ブロック及びこれを用いた塀の築造方法を提供することにある。
【０００６】
本発明の更に他の目的は，自然美と伝統美を強調できる塀用ブロック及びこれを用いた塀の築造方法を提供することにある。
【課題を解決するための手段】
【０００７】
以下に，課題を解決するための手段を，発明を実施するための形態における符号を付して記載する。この符号は，特許請求の範囲の記載と発明を実施するための形態の記載との対応を明らかにするためのものであり，言うまでもなく，本願発明の特許請求の範囲の技術的範囲の解釈に制限的に用いられるものではない。
【０００８】
上記の目的を達成するための本発明に従う塀用ブロックは，第１横軸１１及び第２横軸１２，そして第１縦軸２１及び第２縦軸２２とが互いに対向する構造を維持するようにコンクリートやモルタル等の原料を単位当たり中空成形（ブロッキング）してセンターホールＣＨを成型すると共に，上記センターホールＣＨに隣接した上記第１縦軸２１及び第２縦軸２２の上面の中央に第１ラグ２１ａ及び第２ラグ２２ａを突出し，上記第１縦軸２１及び第２縦軸２２の下面の，実施形態では，中央に幅方向に第１ラグ溝２１ｂ及び第２ラグ溝２２ｂを形成し，上記第１横軸１１及び第２横軸１２の両端が外方に延びながら上記第１縦軸２１及び第２縦軸２１に傾斜して連続する傾斜面Ａを有するエッジＥを形成してハーフホールＨＨを画定することをその特徴とする。
【０００９】
上記の目的を達成するための本発明に従う塀用ブロックＢを用いた塀の築造方法は，第１横軸１１及び第２横軸１２，そして，第１縦軸２１及び第２縦軸２２が互いに対向する構造を維持するようにモルタルをブロッキングしてセンターホールＣＨを画定すると共に，上記センターホールに隣接した上記第１縦軸２１及び第２縦軸２２の上面の，実施形態では中央に第１ラグ２１ａ及び第２ラグ２２ａを突出し，上記第１縦軸２１及び第２縦軸２２の下面の，実施形態では，中央に幅方向に第１ラグ溝２１ｂ及び第２ラグ溝２２ｂを形成し，上記第１横軸１１及び第２横軸１２の両端が外方に延びながら上記第１縦軸２１及び第２縦軸２２に傾斜して連続する傾斜面Ａを有するエッジＥを形成して，ハーフホールＨＨを画定するブロックＢｎを上記それぞれのエッジＥが互いに合うように地面の上に一列に敷設する第１列ブロックＢ１築造ステップと，上記第１横軸１１及び第２横軸１２の中心に上記それぞれのエッジＥが互いに合うように上記第１列ブロックＢ１の上にブロックＢを一列に積層する第２列ブロックＢ２築造ステップと，上記第１横軸１１及び第２横軸１２の中心に上記それぞれのエッジＥが互いに合うように上記第２列ブロックＢ２の上にブロックを一列に積層する第ｎ列ブロックＢｎ築造ステップと，上記第１横軸１１及び第２横軸１２の中心に上記それぞれのエッジＥが互いに合うように上記第Ｎ列ブロックＢＮの上にブロックを一列に積層する第Ｎ＋１列ブロックＢＮ＋１築造ステップと，を含み，上記ブロックは地面の長手方向に一直線又は屈曲するように積まれ，上記ブロックを地面の長手方向に屈曲するように積む場合，上記第１ラグ２１ａ及び第２ラグ２２ａは上記第１ラグ溝２１ｂ及び第２ラグ溝２２ｂに沿って幅方向に位置変更が可能なことをその技術的な方法上の基本特徴とする。
【発明の効果】
【００１０】
本発明は，第１列ブロック及び第２列ブロック・・・，第ｎ列ブロック及び第ｎ＋１列ブロックを地面の長手方向に屈曲するように敷設，積層する時，第１ラグ及び第２ラグが第１ラグ溝及び第２ラグ溝に沿って幅方向に位置変更すると共に，その係合状態を堅固に維持して地面の条件（直線区間又は曲線区間）に対応して，より能動的に迅速・堅固に塀を築造することができる。
【００１１】
本発明は，第１ラグ及び第２ラグが第１ラグ溝及び第２ラグ溝に噛合すると共に，第１ストッパー及び第２ストッパーが上位ブロックの傾斜面に当接するようにすることで，外部の衝撃によるブロックの位置変更を最小化することができ，ブロックを工場で成型した後，車両に搭載する時，即ち運搬のために垂直方向に積層する時，第１ストッパー及び第２ストッパーが上位ブロックの第１ストッパー溝及び第２ストッパー溝に係合して，より堅固な積層状態が維持できる。
【００１２】
本発明は，ブロックと隣り合うブロックのそれぞれのエッジが合う場合，ハーフホールと他のハーフホールとが組み合わせてセンターホールと一致しながら垂直方向へのスルーホールを画定できるようになり，このスルーホールに砕石を充填して圧密状態で収納することによりブロックの築造状態がより堅固に維持できる。
【００１３】
本発明は，砕石の間に支持軸を挿入すれば，より堅固なブロックの築造状態を保証することができる。
【００１４】
本発明は，支持軸５２に縦ビーム６１を配置して第ｎ＋１列ブロックの上に立設し，縦ビームを水平方向に架橋するフェンスを組立て，周辺環境によって塀の上にフェンスを簡単に設置することができる。
【００１５】
本発明は，第ｎ＋１列ブロックの上にベンチ又は瓦などを搭載して自然美と伝統美を併せて強調することができる。
【図面の簡単な説明】
【００１６】
【図１ａ】本発明に係る塀用ブロックを平面から見た斜視図である。
【図１ｂ】本発明に係る塀用ブロックを底面から見た斜視図である。
【図２】本発明に係る塀の築造方法により築造した塀を示す斜視図である。
【図３】本発明に係る塀の築造方法により築造した塀を示す要部切欠斜視図である。
【図４】本発明に係る塀の築造方法により築造した塀を示すフェンスを含んだ正断面図である。
【図５】本発明に係る塀の築造方法により築造した塀を示す植物を含んだ正断面図である。
【図６】本発明に係る塀の築造方法により築造した塀を示すベンチを含んだ正断面図である。
【図７】本発明に係る塀の築造方法により築造した塀を示す瓦を含んだ正断面図である。
【図８】本発明に係る塀の築造方法により築造した塀を示す概念図である。
【図９】本発明の一実施形態に係る塀の築造方法の構造図で，ブロックＢの積層施工に際して砕石を充填し，支持軸５２を保持する状態。
【図１０】路肩の基礎コンクリート上に本発明のブロックを積層施工した状態を示す。
【図１１】路肩に自転車用走路を有する本発明の一実施形態に係る塀の築造方法の構造図。
【図１２】道路両側に本発明のブロックを積層しフェンス，植物を植栽した形態を示す。
【図１３】第ｎ＋１列ブロックＢｎ＋１の上にベンチを搭載した形態を示す本発明の一実施形態に係る塀の築造方法の構造図。
【図１４】第ｎ＋１列ブロックＢｎ＋１の大理石を搭載して，ベンチを設けた本発明の一実施形態に係る塀の築造方法の構造図
【図１５】本発明のブロック上に大理石を搭載し，展望が可能な塀とすると共に，ブロックを適宜省略して，その間隙から外部を目視ができるようにした形態を示す。
【図１６】上部のブロックのセンターホールに土砂を充填し，植物を植栽した排出口を有する突出部を設け，又，植木鉢型ブロックを搭載した本発明の一実施形態に係る塀の築造方法の構造図。
【図１７】各ブロックを貫通する垂直方向のスルーホールを画定し，内部に砕石を充填して，支持軸に縦ビームを連結配置してブロック上部にこの縦ビームを水平方向に架橋するフェンスを組み立てた形態を示す。
【図１８】ブロック上部に土を積層して瓦を葺いた形態を示す。
【図１９】ブロック上部に土を積層して瓦を葺いた形態を示す。
【図２０】各ブロック列の築造によって形成したスルーホールに砕石を充填して支持軸５２により支持台を連結しブロック上部に鉄網を絡め合わせた要塞型の塀を構築した実施形態を示す。
【発明を実施するための形態】
【００１７】
本発明に係る塀用ブロック及びこれを用いた塀の築造方法の好ましい実施形態を，図面を参照して説明する。その実施形態には多数個が存在し，このような実施形態を通じて本発明の目的，特徴，及び利点をよりよく理解できるようになる。
【００１８】
本発明に係る塀用ブロックＢは，図１ａ及び図１ｂに示すように，第１横軸１１及び第２横軸１２，そして第１縦軸２１及び第２縦軸２２が互いに対向する構造を維持するようにモルタルをブロッキングしてセンターホールＣＨを画定すると共に，センターホールＣＨに隣接した第１縦軸２１及び第２縦軸２２の上面の実施形態では，中央に第１ラグ２１ａ及び第２ラグ２２ａを突出し，第１縦軸２１及び第２縦軸２２の下面の中央に幅方向に第１ラグ溝２１ｂ及び第２ラグ溝２２ｂを形成し，第１横軸１１及び第２横軸１２の両端が外方に延びながら第１縦軸２１及び第２縦軸２２に傾斜して連続する傾斜面Ａを有するエッジＥを形成してハーフホールＨＨを画定する構造からなる。
【００１９】
より具体的に，本発明に係る塀の築造方法は，図１ａ乃至図８に示すように，ブロックＢのそれぞれのエッジＥが互いに合うように地面の上にブロックＢを一列に敷設する第１列ブロックＢ１の築造ステップと，第１横軸１１及び第２横軸１２の中心にそれぞれのエッジＥが互いに合うように第１列ブロックＢ１の上にブロックＢを一列に積層する第２列ブロックＢ２の築造ステップと，第１横軸１１及び第２横軸１２の中心にそれぞれのエッジＥが互いに合うように第２列ブロックＢ２の上にブロックＢを一列に積層する第ｎ列ブロックＢｎの築造ステップと，第１横軸１１及び第２横軸１２の中心にそれぞれのエッジＥが互いに合うように第ｎ列ブロックＢｎの上にブロックＢを一列に積層する第ｎ＋１列ブロックＢｎ＋１の築造ステップからなる。
【００２０】
この際，ブロックＢは地面の長手方向に一直線又は屈曲するように積層することができ，ブロックＢを地面の長手方向に屈曲するように積層する場合，第１ラグ２１ａ及び第２ラグ２２ａは第１ラグ溝２１ｂ及び第２ラグ溝２２ｂに沿って幅方向に位置変更可能に設計される。
【００２１】
即ち，第１ラグ２１ａ及び第２ラグ２２ａは，第１ラグ溝２１ｂ及び第２ラグ溝２２ｂに噛合して第１列ブロックＢ１と第２列ブロックＢ２を堅固に積層するためのものであり，第１ラグ溝２１ｂ及び第２ラグ溝２２ｂが第１縦軸２１及び第２縦軸２２の下面の中央に幅方向に形成することによって，地面の長手方向にブロックＢを屈曲するように敷設，積層する場合，第１ラグ溝２１ｂ及び第２ラグ溝２２ｂに沿って第１ラグ２１ａ及び第２ラグ２２ａがその係合状態を堅固に維持しながら幅方向に位置変更できるようになって，地面の条件によって，より能動的に，迅速・堅固に塀を築造することができる。
【００２２】
この際，ブロックＢは塀築造時，センターホールＣＨに隣接した第１横軸１１及び第２横軸１２の上面の中央に上位ブロックＢの傾斜面Ａが当接するように第１ストッパー１１ａ及び第２ストッパー１２ａが突出し，垂直積層時，第１横軸１１及び第２横軸１２の下面の中央に下位ブロックＢの第１ストッパー１１ａ及び第２ストッパー１２ａが係合する第１ストッパー溝１１ｂ及び第２ストッパー溝１２ｂを備える。
【００２３】
第１ラグ２１ａ及び第２ラグ２２ａが第１ラグ溝２１ｂ及び第２ラグ溝２２ｂに噛合すると共に，第１ストッパー１１ａ及び第２ストッパー１２ａが上位ブロックＢの傾斜面Ａに当接するようにすることで，外部の衝撃によるブロックＢの位置変更を最小化できるようになり好適である。ブロックＢを工場で成型した後，車両に搭載しようとする時，即ち運搬のために垂直方向に自体積層しようとする時，第１ストッパー１１ａ及び第２ストッパー１２ａが第１ストッパー溝１１ｂ及び第２ストッパー溝１２ｂに合致できるようになって，より堅固な積層状態を維持できるようになり好適である。
【００２４】
また，第１列ブロックＢ１，第２列ブロックＢ２・・・第ｎ列ブロックＢｎ，及び第ｎ＋１列ブロックＢｎ＋１の築造によって，センターホールＣＨ及びハーフホールＨＨは相互組み合わせて垂直方向にスルーホールＴＨを画定し，このスルーホールＴＨには砕石５１が充填される。
【００２５】
ブロックＢと隣り合うブロックＢのそれぞれのエッジＥが合う場合，ハーフホールＨＨと他のハーフホールＨＨが組み合わせてセンターホールＣＨと一致しながら垂直方向へのスルーホールＴＨが画定できるようになり，このスルーホールＴＨに砕石５１を充填して，砕石が圧密状態で支持軸５２を保持して，ブロックＢの築造状態をより堅固に維持するようにすることができる。
【００２６】
そして，図４に示すように，砕石５１の間に支持軸５２を挿入して，より堅固なブロックＢの築造状態を保証するようにすることができることは勿論である。
【００２７】
一方，支持軸５２に縦ビーム６１が連結配置されて第ｎ＋１列ブロックＢｎ＋１の上に立てられ，縦ビーム６１を水平方向に架橋するフェンス６２が組立てられて，周辺環境によって塀の上にフェンス６２をさらに簡単に設置できるようになる。
【００２８】
また，支持軸５２に支持台ＧＧが連結されて第ｎ＋１列ブロックＢｎ＋１の上に立てられ，支持台ＧＧを互いに絡み合わせる鉄網ＣＭを有する要塞型の塀を築造することもできる。
【００２９】
延いては，第ｎ＋１列ブロックＢｎ＋１のセンターホールＣＨに土砂Ｔ１を充填して，この土砂Ｔ１の間に植物Ｐを植栽して親環境の感じを与えることもでき，延いては，図５に示すように，第ｎ＋１列ブロックＢｎ＋１のセンターホールＣＨに排出口７１が形成された突出部７２及び土砂Ｔ１が充填される収納空間７３を有する植木鉢型ブロック７０を搭載し，収納空間７３の土砂Ｔ１の中に植物Ｐを植栽できることは勿論である。
【００３０】
併せて，図６に示すように，塀を低くした場合の第ｎ＋１列ブロックＢｎ＋１の上にベンチ８０を搭載して，通行人が過ぎて行きながら暫く休むことができるようにすることができ，図７に示すように，第ｎ＋１列ブロックＢｎ＋１の上に土Ｔ２を積層して瓦９０を葺いて伝統美を活かすこともできる。
【００３１】
以上，本発明の目的，構成，及び作用効果の記載を通して理解できるように，本発明は，第１ラグ２１ａ及び第２ラグ２２ａが第１ラグ溝２１ｂ及び第２ラグ溝２２ｂに噛合して第１列ブロックＢ１と第２列ブロックＢ２を堅固に積層することができるようにすると共に，第１ラグ溝２１ｂ及び第２ラグ溝２２ｂを第１縦軸２１及び第２縦軸２２の下面の中央の幅方向に形成して地面の長手方向にブロックＢを屈曲するように敷設，積層する場合，第１ラグ溝２１ｂ及び第２ラグ溝２２ｂに沿って第１ラグ２１ａ及び第２ラグ２２ａがその係合状態を堅固に維持しながら幅方向に位置変更できるようになって，地面の条件によって，より能動的で，かつ迅速・堅固に塀を築造できるようにすることを最も大きい核心技術とし，その他の変化可能な工程及び構成（例えば，本発明のブロックＢを後述する実施形態のように全体的に逆に築造したり，第１ラグ２１ａ及び第２ラグ２２ａを後述する実施形態のように第１横軸１１及び第２横軸２１の内側に形成する等）は，多様な場合の数として理解することができ，本発明ではこのような変化可能な場合の数を全て含んで特許請求範囲の解析もこれに準ずるものとする。
【００３２】
上記の構成を通じて，その作用及び活用形態を図９乃至図２０の実施形態として説明すれば，次の通りである。
【００３３】
図９は，底に砂利を敷いて補強土擁壁ブロックを積層した後，本発明のブロックＢの積層施工に際して砕石５１を充填して，砕石が圧密状態で支持軸５２を保持して，一層堅固に塀を築造する形態を示している。
【００３４】
図１０は，路肩の基礎コンクリート上に，本発明のブロックＢの積層施工に際して砕石５１を充填して，砕石が圧密状態で支持軸５２を保持して，一層堅固に塀を築造する形態を示している。
【００３５】
図１１は，車両が走行する路肩に自転車用走路を作り，その両側に本発明のブロックＢを積層して塀を築造し，植物Ｐを植栽した形態を示している。
【００３６】
図１２は，車両が走行する道路の両側に本発明のブロックＢを積層して塀を築造し，その上に瓦９０を敷設したり縦ビーム６１と共にフェンス６２，又は植物Ｐを植栽した形態を示している。
【００３７】
図１３は，本発明のブロックＢを積層した後，第ｎ＋１列ブロックＢｎ＋１の上にベンチ８０を搭載した形態を示している。
【００３８】
図１４は，本発明のブロックＢを積層した後，第ｎ＋１列ブロックＢｎ＋１上部に大理石を搭載して，一種のベンチを設け，座って休みあるいは，対話することができる塀を示している。
【００３９】
図１５は，本発明のブロックＢを平均的な人の胸の高さに積層した後，第ｎ＋１列ブロックＢｎ＋１の上に大理石を搭載して，一種の展望型塀，即ち，手をあごに当てて遠くを見ることができるようにすると共に，所望に応じてブロックＢを１つ以上省略して，その間隙から児童らが外部を眺めることができるようにした形態を示している。
【００４０】
図１６は，第ｎ＋１列ブロックＢｎ＋１のセンターホールＣＨに土砂Ｔ１を充填して，土砂Ｔ１の間に植物Ｐを植栽したり，第ｎ＋１列ブロックＢｎ＋１のセンターホールＣＨに排出口７１が形成された突出部７２及び土砂Ｔ１が充填される収納空間７３を有する植木鉢型ブロック７０を搭載し，この土砂Ｔ１の中に植物Ｐを植栽した形態を示している。
【００４１】
図１７は，第１列ブロックＢ１，第２列ブロックＢ２・・・第ｎ列ブロックＢｎ，及び第ｎ＋１列ブロックＢｎ＋１の築造によってセンターホールＣＨ及びハーフホールＨＨが相互組み合わせて垂直方向にスルーホールＴＨを画定し，スルーホールＴＨに砕石５１を充填し，支持軸５２を挿入し，また支持軸５２に縦ビーム６１を連結配置して第ｎ＋１列ブロックＢｎ＋１の上に立設し，この縦ビーム６１を水平方向に架橋するフェンス６２を組み立てた形態を示している。
【００４２】
図１８及び図１９は，第ｎ＋１列ブロックＢｎ＋１の上に土Ｔ２を積層して瓦９０を葺いた形態を示している。
【００４３】
図２０は，第１列ブロックＢ１，第２列ブロックＢ２・・・第ｎ列ブロックＢｎ，及び第ｎ＋１列ブロックＢｎ＋１の築造によってセンターホールＣＨ及びハーフホールＨＨを相互に組み合せて垂直方向にスルーホールＴＨを画定し，スルーホールＴＨに砕石５１を充填して支持軸５２を挿入し，また支持軸５２に支持台ＧＧを連結して第ｎ＋１列ブロックＢｎ＋１の上に立設して，この支持台ＧＧに鉄網ＣＭを絡め合わせ要塞型の塀を構築した実施形態を示している。
【産業上の利用可能性】
【００４４】
本発明は建物の周囲や敷地の境界線，又は自転車用走路などに築造される塀，即ち，建築分野に利用することができる。
【符号の説明】
【００４５】
１１    第１横軸
１２    第２横軸
１１ａ    第１ストッパー
１２ａ    第２ストッパー
１１ｂ    第１ストッパー溝
１２ｂ    第２ストッパー溝
２１    第１縦軸
２２    第２縦軸
２１ａ    第１ラグ
２２ａ    第２ラグ
２１ｂ    第１ラグ溝
２２ｂ    第２ラグ溝
５１    砕石
５２    支持軸
６１    縦ビーム
６２    フェンス
７０    植木鉢型ブロック
７１    排出口
７２    突出部
７３    収納空間
８０    ベンチ
９０    瓦
Ａ      傾斜面
Ｂ      ブロック
ＣＨ    センターホール
ＨＨ    ハーフホール
ＴＨ    スルーホール
Ｅ      エッジ
Ｂ１    第１列ブロック
Ｂ２    第２列ブロック
Ｂｎ    第ｎ列ブロック
Ｂｎ＋１    第ｎ＋１列ブロック
ＧＧ    支持台
Ｔ２    土
ＣＭ    鉄網
Ｔ１    土砂
Ｐ    植物
【図１ａ】
2011220101.tif 000003
【図１ｂ】
2011220101.tif 000004
【図２】
2011220101.tif 000005
【図３】
2011220101.tif 000006
【図４】
2011220101.tif 000007
【図５】
2011220101.tif 000008
【図６】
2011220101.tif 000009
【図７】
2011220101.tif 000010
【図８】
2011220101.tif 000011
【図９】
2011220101.tif 000012
【図１０】
2011220101.tif 000013
【図１１】
2011220101.tif 000014
【図１２】
2011220101.tif 000015
【図１３】
2011220101.tif 000016
【図１４】
2011220101.tif 000017
【図１５】
2011220101.tif 000018
【図１６】
2011220101.tif 000019
【図１７】
2011220101.tif 000020
【図１８】
2011220101.tif 000021
【図１９】
2011220101.tif 000022
【図２０】
2011220101.tif 000023